(57)【特許請求の範囲】
【請求項１】
直列状に連結された多数本の釘を収納する釘の収納通路が形成され、該収納通路内に収納された釘を釘打機の釘打ち出し部側に送込むためのプッシャ部材を移動可能に備えた釘打機におけるマガジンであって、前記収納通路内のほぼ後端部側にストッパー部材１９を装設するとともに、このストッパー部材１９は、スプリング板材からなり、釘の前記収納通路内の移動軌跡上に出入り可能な当接部１９ｂと該当接部から釘の収納方向に延出された受け部１９ｃとを備え、該当接部１９ｂと受け部１９ｃとにより、収納通路に収納された最後尾の釘の軸部を、収納通路を横切る方向と該収納通路に沿う方向の２方向で受けることを特徴とする釘打機におけるマガジン。
【発明の詳細な説明】
【０００１】
【発明の属する技術分野】
本発明は、釘打機に装着されて多数本の釘を直列状に収納するマガジンに関するものである。
【０００２】
【従来の技術】
一般に、釘打機にあって、直列状に連結された多数本の釘を収納するマガジンは、その一端部が釘打機の釘打ち出し部に接続された状態で装着され、該収納した釘をプッシャ部材の前進動によって一本ずつ釘打ち動作にしたがって順次釘打ち出し部内に供給するように構成されており、さらに、マガジン内には収納した釘が後端部側（充填口）から抜け出すことを防止する手段としストッパー部材が設けられており、このストッパー部材にあっては、一般に、マガジン内の釘の収納通路内においてバネ状の薄板から形成したストッパー片の一端を該収納通路の壁面に固定しかつほぼＬ状に曲折した先端当接部を該収納通路の釘の移動軌跡上に臨ませて、そのＬ状に曲折した先端部により収納した釘の最後尾に位置した釘を止めるようになし、また、該先端部をその弾力に抗して押えながら釘の移動軌跡上から退避させて前記最後尾の釘に対する止め状態を解除して収納した釘を抜き取るように構成されていた。
【０００３】
【発明が解決しようとする課題】
ところで、マガジン内に収納した釘に対して、サイズ、とくに長さ寸法の異なる別の釘を差し換える（取り換えて収納する）場合には、マガジン内に収納した釘を抜き取る作業を必要とし、また、釘打機の釘打ち出し部において釘詰まりが生起したとき、該釘打ち出し部側の開口窓部における釘の取り除き作業をし易くするためにマガジン内に収納した釘を後端部側に一時的に退避位置させるか、或いはマガジン内から一旦抜き取る作業を必要としていた。
しかしながら、上記した従来のストッパー部材にあっては、単に、Ｌ状に曲折した先端部により釘を止める構成であるため、マガジン内に収納した釘を抜き取る場合、或いは後端部側に退避する場合、ともに釘が勢いよくマガジン内を滑ってストッパ部材の先端部に当接されると、該先端部が撥ね上げられてしまい、そのＬ状の曲折部の内側に釘が入って連結した釘と釘との間に引っ掛かり易くなって先端部における退避動作が阻害され、結局、マガジン内から釘をそのまま抜き取ることができず、また退避位置にある釘を元の状態にそのまま復帰することが困難となる等の問題点を惹起していた。
そこで、本発明は、マガジン内に収納した釘の抜き取り作業に支障を及ぼすことなく、ストッパーとしての機能を効果的に発揮することができる釘打機におけるマガジンを提供することを目的とする。
【０００４】
【課題を解決するための手段】
上記した課題を解決するために、本発明は、直列状に連結された多数本の釘を収納する釘の収納通路が形成され、該収納通路内に収納された釘を釘打機の釘打ち出し部側に送込むためのプッシャ部材を移動可能に備えた釘打機におけるマガジンであって、前記収納通路内のほぼ後端部側にストッパー部材１９を装設するとともに、このストッパー部材１９は、スプリング板材からなり、釘の前記収納通路内の移動軌跡上に出入り可能な当接部１９ｂと該当接部から釘の収納方向に延出された受け部１９ｃとを備え、該当接部１９ｂと受け部１９ｃとにより、収納通路に収納された最後尾の釘の軸部を、収納通路を横切る方向と該収納通路に沿う方向の２方向で受けることを要旨とするものである。
【０００５】
上記した構成によれば、マガジン内に収納した釘をその収納通路における後端部側において、該釘の移動軌跡上に位置される受け部を有する当接部と該当接部から釘の収納方向に延出された受け部とにより最後尾の釘の軸部を収納通路を横切る方向と該収納通路に沿う方向の２方向で受け、それ以上の移動を阻止するとともに、その当接部並びに受け部の撥ね上げを未然に防止するものである。
これによって、釘をマガジンの後端部側において効果的に停止させるとともに、当接部を釘の移動軌跡上から退避することによって、マガジン内からの収納した釘を容易に抜き取るものである。
【０００６】
【発明の実施の形態】
以下、この発明の実施の形態を図１〜図６にしたがって説明する。
図において、１は釘打機の全体を示し、大別すると、圧縮エアーの給排制御によって往復駆動されるピストン（図示しない）が内蔵されたシリンダハウジングを主体とする本体２と、この本体２の先端部位に装設されかつ前記ピストンと一体に往復駆動される釘打出し用のドライバ（図示しない）を案内するドライバガイド３と、本体２に対しほぼ直交状態で横方向に位置されたハンドル４と、ドライバガイド３とハンドル４との間に斜状に掛装されかつ内部に多数本の釘を収納し、該釘を一本ずつドライバガイド３内に供給するマガジン５とから構成されている。
【０００７】
前記マガジン５は、図４に示すように、その本体５Ａが長手方向に縦断面ほぼＴ字状の釘の収納通路６を形成するように平板をほぼ偏平帯状に曲折して形成され、その前面側には所定の幅で長手方向に沿って開口部７が形成されている。また、収納通路６の先端部（図１において左側）は前記ドライバガイド３内に対して釘の供給（送込み）可能に連通されており、後端部（図１において右側）には直列状に連結された釘を充填するための充填口が形成されるとともに、該充填口にはゴム等の緩衝部材８ａを介して該マガジン本体５Ａにボルト着されたキャツプ部材８が該充填口を開閉口可能に装設されている。
【０００８】
そして、前記収納通路６の開口部７の前面上下縁部には後述するプッシャ部材９を移動可能に収納案内するガイド溝１０，１１を形成するように上下のほぼＬ字状のガイド部１２，１３が一体的に構成されている。
【０００９】
プッシャ部材９は、前記ガイド部１２，１３に対し、その本体部９ａの上下が前記ガイド溝１０，１１内にその長手方向に沿って移動可能に収納位置されていて、その先端部（図１において左側）にはマガジン５の収納通路６内に位置されかつ該収納通路６内に収納された釘の最後尾の釘Ｎに当接する長短２個の送り爪部１４ａ，１４ｂを備えた爪板部１５が前面側に回動可能に装設されている。
【００１０】
そして、プッシャ部材９の後端部（図１において右側）には押圧用の渦巻きスプリング１６が巻装され、この渦巻きスプリング１６の一端はマガジン５の先端部の開口上縁部に係止されて該プッシャ部材９をマガジン５内において、常にはドライバガイド３側（釘送り方向）に付勢するように構成されている。また、プッシャ部材９の本体９ａに対する爪板部１５の回動支承部位には、該爪板部１５、すなわち、送り爪部１４ａ，１４ｂを常にはマガジン５の収納通路６内に位置方向に付勢する回動復帰用のスプリング１７が弾装されている。
【００１１】
前記マガジン５において、図３及び図４に示すように、プッシャ部材９を収納案内するガイド溝１０，１１のうち下部のガイド溝１１、すなわち下部のガイド部１３の側片１３ａ及びこれに対応するマガジン５の収納通路６を構成する前面側片５ａ、後面側片５ｂには、前記ドライバガイド３側（釘打ち出し部）より若干離れた後方部位に前記ガイド溝１１から収納通路６を横切る方向に係入孔１８ａ，１８ｂ，１８ｃが整合位置されて貫設されており、この係入孔１８ａ，１８ｂ，１８ｃには所望の係止具Ｔ（図では単体の釘を示すが、ドライバ等の軸部でもよい。）が挿入可能となしている。
【００１２】
しかして、係止具Ｔを係入孔１８ａ，１８ｂ，１８ｃにわたって挿入した状態において、該係止具Ｔはプッシャ部材９における前記下部のガイド溝１１に収納した下部案内部９ａの先端面（図１において左側）が当接可能に対向位置されるものである。
なお、係入孔１８ａ，１８ｂ，１８ｃの貫設位置にあっては、ドライバガイド３の近傍にあって、少なくともドライバガイド３（釘打ち出し部）部位における釘詰まり等の作業ができる範囲を残して設定することが望ましい。
【００１３】
前記マガジン５の収納通路６内における後端部（図１において右側）側には収納された釘の最後尾の釘Ｎを一時的に保持するストッパー部材１９が位置されている。このストッパー部材１９は、図５に示すように、幅狭の帯状のスプリング板材（鋼板）等から形成されていて、その後端部が前記キャップ部材８とともにボルト着されかつ先端部は該締着部位から収納通路６内ほぼ中心部に向けて斜状に延出されるとともに、円弧状の曲折部１９ａを介して形成された釘の軸部分に当接する当接部１９ｂと該当接部から釘の収納方向に延出する受け部１９ｃとがほぼ直角のＬ字状に曲折形成されている。
【００１４】
しかして、このストッパー部材１９は、自身の弾性により、その先端部の曲折部１９ａ及び当接部１９ｂ並びに受け部１９ｃが常には収納通路６内ほぼ中心部、すなわち、釘の移動軌跡内に位置されて収納した釘の最後尾の釘Ｎの軸部分を受けるように構成されている。
【００１５】
なお、ストッパー部材１９は、収納通路６内におけるプッシャ部材９が後端部に最も後退した状態において、その送り爪部１４ａ，１４ｂの位置より若干前方に位置するように設定することが望ましい。
【００１６】
また、前記マガジン５先端部との接合部位付近における釘打機の本体２の上端部には、図６に示すように、該マガジン５におけるプッシャ部材９を収納案内する上部のガイド溝１０内に対向位置されたゴム等からなる緩衝部材２０が装設されている。この緩衝部材２０は竹の子状に形成した軸部２０ａが釘打機本体１に形成した孔部に圧入されかつ一端部には偏平の当接部２０ｂが形成されていて、前記プッシャ部材９が当接可能に構成されている。
【００１７】
前記釘打機の本体２のドライバガイド３の外周部にはコンタクトアーム２１が移動（図１において上下方向）可能に装設されており、その一端側（図１において下側）の先端嵌合部が常には該ドライバガイト３の先端から突出された状態（初期状態）に位置されるように装設されている。そして、このコンタクトアーム２１は、その他端側（図１において下側）がトリガ２２に対し、釘打ち動作に伴って前記先端嵌合部がドライバガイド３に沿って上動されたときには該トリガ２２の引込み（回動）動作を許容しかつ先端嵌合部がドライバガイト３の先端から突出された状態のときにはトリガ２２の引込み（回動）動作を阻止するように連繋されている。
【００１８】
この実施の形態は上述のように構成されたものであり、マガジン５内に釘、すなわち、直列状に所定の長さ連結された多数本の釘Ｗを収納する場合には、まず、キャップ部材８を開動作してマガジン５の収納通路６の後端部を開口し、該開口部から前記釘Ｗをその釘頭が該収納通路６の頭部案内面６ａに沿わせるようにして収納したのち、前記キャップ部材８を閉動作してその開口部を閉鎖する。
【００１９】
この場合、ストッパー部材１９における曲折部１９ａ、当接部１９ｂ、受け部１９ｃは収納された釘Ｗによりその収納通路６からマガジン５の後面側片５ｂ側にその弾力に抗して退避状態となる。
【００２０】
そして、プッシャ部材９をそのまま収納通路６の後端部側に渦巻きスプリング１６の付勢力に抗して移動して、その送り爪部１４ａ，１４ｂを収納した釘Ｗの最後尾に位置する釘Ｎの軸部に後方から当接させる。
【００２１】
この場合、送り爪部１４ａ，１４ｂは、その爪板部１５がプッシャ部材９の後方移動に伴って釘の軸部を乗り越える方向にスプリング１７の付勢力に抗して逃げながら回動動作し、該送り爪部１４ａ，１４ｂが最後尾に位置する釘を乗り越えたときに該スプリング１７の付勢力により該釘の位置する部位に復帰位置されてその状態が維持される。
【００２２】
上述のようにマガジン５内に釘Ｗを収納した状態において、該収納した釘Ｗが渦巻きスプリング１６の付勢力により釘送り方向に付勢されたプッシャ部材９によって釘打ち動作、すなわち、ドライバの一回の往復動に対して該ドライバガイド３内に釘を一本ずづ供給するものである。
【００２３】
さて、何らかの原因により、打ち込むべき釘等がドライバガイド３内及びその周辺で詰まった、所謂、釘詰まりが生じた状態のとき、仮に、マガジン５内に釘Ｗが収納されている場合には該釘の最先端に位置する釘が該ドライバガイド３付近に位置されているため、この釘を後方まで移動させるか、マガジン５の収納通路６内から抜き取った状態で上記の釘詰まりに対応する除去及び確認等の作業を行なわなければならない。
【００２４】
しかし、この釘を後方まで移動させるか或いは抜き取った状態、すなわちマガジン５内の前方における釘が空の状態ではプッシャ部材９が前進端に位置されてその送り爪部１４ａ，１４ｂがドライバガイド３内に臨むことになり、この状態では当該作業が困難であるが、本実施の形態にあっては、図３及び図４に示すように、該プッシャ部材９全体をドライバガイド３側（釘打ち出し部）より若干離れた後方部位、若しくはドライバガイド３の近傍にあって、少なくともドライバガイド３（釘打ち出し部）部位における釘詰まり等の作業ができる範囲を残した位置に形成した係入孔１８ａ，１８ｂ，１８ｃの後方位置まで後退させるとともに、該係入孔１８ａ，１８ｂ，１８ｃにわたって係止具Ｔを挿入すると、この係止具Ｔに対して前進しようとするプッシャ部材９の下部案内部９ａの先端面が当接され、該プッシャ部材９はその前進が一時的に阻止され、その位置で待機される。
【００２５】
この状態において、ドライバガイド３付近の開口状態が確保されるので、当該部位の釘詰まりに対応する除去及び確認等の作業を容易に行うことができるものである。
【００２６】
上記作業が終了すると、係入孔１８ａ，１８ｂ，１８ｃから係止具Ｔを抜脱することによって、プッシャ部材９の前進動の拘束を解除して、通常の釘送り動作に対応するものであり、この場合は、前述した釘の収納作業に対応する。
【００２７】
さて、上述した作業、或いはマガジン５内に収納した釘Ｗに対して、サイズ、とくに長さ寸法の異なる別の釘を差し換える（取り換えて収納する）作業にあって、釘Ｗをマガジン５内の後方（後端部側）に退避移動させる場合には、プッシャ部材９の爪板部１５をスプリング１７の付勢力に抗して前面側に若干回動して該最後尾の釘Ｎに対する押圧を解除したのち、該釘Ｗを該収納通路６の後端部側に滑らせると、同部位において最後尾の釘Ｎがストッパー部材１９によりそれ以上の移動が阻止される。（図２参照）
【００２８】
すなわち、図５に示すように、ストッパー部材１９のＬ字状の当接部１９ｂ及び受け部１９ｃにより最後尾の釘Ｎを当接させて保持し、該釘Ｗ全体がそのまま滑って収納通路６の後端部の開口から抜け落ちることを防止するものである。
この場合、受け部１９ｃが最後尾の釘Ｎの軸部によってそれ以上の撥ね上げが阻止されるので、該釘Ｎを確実に受けてその停止状態を維持することができる。
【００２９】
その後、マガジン５内から釘Ｗを抜き取る場合は、該ストッパー部材１９全体をその弾力に抗して釘の通路外（移動軌跡か遠ざかる方向）に退避することによって、該釘Ｗ全体を収納通路６の後端部の開口から抜き取るものである。
【００３０】
仮に、釘Ｗ全体が勢いよく滑り、当接部１９ｂに強く当たった場合でも、前述した受け部１９ｃの機能によって当接部１９ｂ全体が撥ね上げられないので、釘Ｎを確実に受けてその該釘を確実に止めるものであるが、万一、止められなかった場合でもストッパー部材１９における受け部１９ｃの形成部位が円弧状の曲折部１９ａとなしているため、前述した受け部１９ｃの機能と相まって該曲折部位の円弧面により釘の抜け出しを阻害することなく、該円弧状の曲折部１９ａを乗り越え（当接部１９ｂをその弾力に抗して押え）て円滑に収納通路６の後端部の開口から抜き出すことができる。
【００３１】
また、本実施の形態においては、マガジン５先端部の接合部位付近における釘打機本体２の上端部、すなわち該マガジン５におけるプッシャ部材９を収納案内する上部のガイド溝１０内に対向位置してゴム等からなる緩衝部材２０が装設されているため、該プッシャ部材９の前進動端において、釘打機のドライバガイド３に与える衝撃を吸収緩和することができ、その取付けも竹の子状に形成した軸部２０ａを釘打機本体１に形成した孔部に圧入するのみでよく、組付けが非常にに簡単となる。
【００３２】
【発明の効果】
本発明にあっては、当接部の撥ね上げを未然に防止することによって、マガジン内に収納した釘をその収納通路における後端部側において効果的に停止することができるとともに、当接部を釘の移動軌跡上から退避することによって、マガジン内からの収納した釘を容易に抜き取ることができるものである。
【図面の簡単な説明】
【図１】釘打機の全体を示す一部破断を含む正面図である。
【図２】釘がストッパー部材に止められた状態を示す釘打機全体の一部破断を含む正面図である。
【図３】係入孔の要部を拡大して示す一部破断を含む拡大正面図である。
【図４】図３のＡ−Ａ線断面図である。
【図５】ストッパー部材の作動状態を示す平断面図である。
【図６】緩衝部材の取付け状態を示す拡大断面図である。
【符号の説明】
１  釘打機
２  本体
３  ドライバガイド
４  ハンドル
５  マガジン
６  収納通路
１９  ストッパー部材
１９ａ  曲折部
１９ｂ  当接部
１９ｃ  受け部
【図１】
0003600019.tif 000002
【図２】
0003600019.tif 000003
【図３】
0003600019.tif 000004
【図４】
0003600019.tif 000005
【図５】
0003600019.tif 000006
【図６】
0003600019.tif 000007